(57)【要約】【目的】迅速に画像データを送信する。【構成】画像データ受信装置４からは一定範囲Ａｒに起動信号が送信されている。その範囲Ａｒ内に，携帯用画像端末10をもったユーザ２が入ると，携帯用画像端末10の起動に時間がかかる回路，画像データの送信に必要な事前処理が開始される。ユーザが画像データ受信装置４の所に着くと，携帯用画像端末10から画像データ受信装置４にすぐに画像データを送信できるようになる。【選択図】図１
2010041278.tif 000002
【特許請求の範囲】
【請求項１】
画像データ受信装置から所定範囲内に送信される事前起動信号を受信する事前起動信号受信装置，
上記事前起動信号受信装置によって事前起動信号を受信したことに応じて，画像データが記憶されている第１の記憶装置から上記画像データ受信装置に送信する画像データを読み出して上記第１の記憶装置の読み出し速度よりも速い読み出し速度をもつ第２の記憶装置に書き込むように上記第1の記憶装置および上記第２の記憶装置を制御する読み出し／書き込み制御手段，
画像データ送信指令を携帯用画像端末装置に与える送信指令手段，ならびに
上記送信指令手段から上記携帯用画像端末装置に送信指令が与えられたことに応じて，上記第２の記憶装置に書き込まれた画像データを上記画像データ受信装置に送信する画像データ送信手段，
を備えた携帯用画像端末装置。
【請求項２】
画像データを表すレーザを送信するレーザ送信装置，
携帯用画像端末装置のぶれ方向を検出するぶれ方向検出センサ，
上記携帯用画像端末装置のぶれ量を検出するぶれ量検出センサ，
上記ぶれ方向検出センサによって検出されたぶれ方向および上記ぶれ量検出センサによって検出されたぶれ量にもとづいて，上記レーザ送信装置から送信されるレーザのぶれを補正するぶれ補正装置，
画像データ受信装置から所定範囲内に送信される事前起動信号を受信する事前起動信号受信装置，
上記事前起動信号受信装置によって事前起動信号を受信したことに応じて，上記ぶれ方向検出センサおよび上記ぶれ量検出センサの少なくとも一方を起動する起動制御手段，
画像データ送信指令を上記携帯用画像端末装置に与える送信指令手段，ならびに
上記送信指令手段から上記携帯用画像端末装置に送信指令が与えられたことに応じて上記レーザ送信装置から画像データを表すレーザを上記画像データ受信装置に送信するように上記レーザ送信装置を制御する送信制御手段，
を備えた携帯用画像端末装置。
【請求項３】
事前起動モードを設定する事前起動モード設定手段をさらに備え，
上記事前起動信号受信装置が，
上記事前起動モード設定手段によって事前起動モードが設定されたことに応じて上記画像データ受信装置から送信された事前起動信号を受信するものである，
請求項１または２に記載の携帯用画像端末装置。
【請求項４】
事前起動信号受信装置が，画像データ受信装置から所定範囲内に送信される事前起動信号を受信し，
読み出し／書き込み制御手段が，上記事前起動信号受信装置によって事前起動信号を受信したことに応じて，画像データが記憶されている第１の記憶装置から上記画像データ受信装置に送信する画像データを読み出して上記第１の記憶装置の読み出し速度よりも速い読み出し速度をもつ第２の記憶装置に書き込むように上記第1の記憶装置および上記第２の記憶装置を制御し，
指令手段が，画像データ送信指令を携帯用画像端末装置に与え，
画像データ送信手段が，上記送信指令手段から上記携帯用画像端末装置に送信指令が与えられたことに応じて，上記第２の記憶装置に書き込まれた画像データを上記画像データ受信装置に送信する，
携帯用画像端末装置の動作制御方法。
【請求項５】
画像データを表すレーザを送信するレーザ送信装置，携帯用画像端末装置のぶれ方向を検出するぶれ方向検出センサ，上記携帯用画像端末装置のぶれ量を検出するぶれ量検出センサ，および上記ぶれ方向検出センサによって検出されたぶれ方向および上記ぶれ量検出センサによって検出されたぶれ量にもとづいて，上記レーザ送信装置から送信されるレーザのぶれを補正するぶれ補正装置を備えた携帯用画像端末装置の動作制御方法において，
事前起動信号受信装置が，画像データ受信装置から所定範囲内に送信される事前起動信号を受信し，
起動制御手段が，上記事前起動信号受信装置によって事前起動信号を受信したことに応じて，上記ぶれ方向検出センサおよび上記ぶれ量検出センサの少なくとも一方を起動するように制御し，
送信指令手段が，画像データ送信指令を上記携帯用画像端末装置に与え，
送信制御手段が，上記送信指令手段から上記携帯用画像端末装置に送信指令が与えられたことに応じて上記レーザ送信装置から画像データを表すレーザを上記画像データ受信装置に送信するように上記レーザ送信装置を制御する，
携帯用画像端末装置の動作制御方法。
【発明の詳細な説明】
【技術分野】
【０００１】
この発明は，携帯用画像端末装置およびその制御方法に関する。
【背景技術】
【０００２】
ビーコンは，航路，飛行場などに設置されるほか，高速道路，幹線道路にも設置されている。ビーコンから発信される電波などを用いて渋滞，通行止め，所要時間などの情報が発信されている。このようなビーコンをトンネル入り口に設置し，ビーコンを受信することにより，自動車の窓ガラスのヒーターをオンしてトンネル進入までに窓ガラスを加熱するものがある（特許文献１）。
【特許文献１】特開平9-304498号公報
【０００３】
このように，自動車がトンネルに進入するまでに窓ガラスを加熱するという事前準備のものはあるが，画像データを送信するような端末装置において事前準備を行うものというものは考えられていない。
【発明の開示】
【０００４】
この発明は，画像データを送信するような端末装置において，起動，処理に時間がかかるものをあらかじめ起動，処理の準備を行うことを目的とする。
【０００５】
第１の発明による携帯用画像端末装置は，画像データ受信装置から所定範囲内に送信される事前起動信号を受信する事前起動信号受信装置，上記事前起動信号受信装置によって事前起動信号を受信したことに応じて，画像データが記憶されている第１の記憶装置から上記画像データ受信装置に送信する画像データを読み出して上記第１の記憶装置の読み出し速度よりも速い読み出し速度をもつ第２の記憶装置に書き込むように上記第1の記憶装置および上記第２の記憶装置を制御する読み出し／書き込み制御手段，画像データ送信指令を携帯用画像端末装置に与える送信指令手段，ならびに上記送信指令手段から上記携帯用画像端末装置に送信指令が与えられたことに応じて，上記第２の記憶装置に書き込まれた画像データを上記画像データ受信装置に送信する画像データ送信手段を備えていることを特徴とする。画像データ送信手段は，たとえばレーザを利用して画像データを送信するレーザ送信装置である。
【０００６】
第１の発明は，上記携帯用画像端末装置に適した動作制御方法も提供している。すなわち，この方法は，事前起動信号受信装置が，画像データ受信装置から所定範囲内に送信される事前起動信号を受信し，読み出し／書き込み制御手段が，上記事前起動信号受信装置によって事前起動信号を受信したことに応じて，画像データが記憶されている第１の記憶装置から上記画像データ受信装置に送信する画像データを読み出して上記第１の記憶装置の読み出し速度よりも速い読み出し速度をもつ第２の記憶装置に書き込むように上記第1の記憶装置および上記第２の記憶装置を制御し，指令手段が，画像データ送信指令を携帯用画像端末装置に与え，画像データ送信手段が，上記送信指令手段から上記携帯用画像端末装置に送信指令が与えられたことに応じて，上記第２の記憶装置に書き込まれた画像データを上記画像データ受信装置に送信するものである。
【０００７】
第１の発明によると，画像データ受信装置からは所定範囲内に届くように事前起動信号（事前動作指示信号）が送信されている。携帯用画像端末装置が，画像データ受信装置から送信されている事前起動信号を受信できる所定範囲内に入ると，携帯用画像端末装置によって事前起動信号が受信される。すると，画像データが記憶されている第１の記憶装置から，画像データ受信装置に送信する画像データが読み出される。読み出された画像データは，第１の記憶装置の読み出し速度よりも速い読み出し速度をもつ第２の記憶装置に書き込まれる。携帯用画像端末装置が，画像データ受信装置に画像データを送信できるほど画像データ受信装置に近づくと，画像データの送信指令が与えられる。画像データが携帯用画像端末装置から画像データ受信装置に送信される。携帯用画像端末装置が画像データ受信装置に近づくと，画像データが第１の記憶装置から読み出されて，読み出し速度の速い第２の記憶装置に書き込まれ，第２の記憶装置からは比較的迅速に画像データを読み出すことができるから，画像データを第２の記憶装置から読み出して画像データ受信装置に送信できるようになる。
【０００８】
第２の発明による携帯用画像端末装置は，画像データを表すレーザを送信するレーザ送信装置，携帯用画像端末装置のぶれ方向を検出するぶれ方向検出センサ，上記携帯用画像端末装置のぶれ量を検出するぶれ量検出センサ（ぶれ量検出回路），上記ぶれ方向検出センサによって検出されたぶれ方向および上記ぶれ量検出センサによって検出されたぶれ量にもとづいて，上記レーザ送信装置から送信されるレーザのぶれを補正するぶれ補正装置，画像データ受信装置から所定範囲内に送信される事前起動信号を受信する事前起動信号受信装置，上記事前起動信号受信装置によって事前起動信号を受信したことに応じて，上記ぶれ方向検出センサおよび上記ぶれ量検出センサの少なくとも一方を起動する起動制御手段，画像データ送信指令を上記携帯用画像端末装置に与える送信指令手段，ならびに上記送信指令手段から上記携帯用画像端末装置に送信指令が与えられたことに応じて上記レーザ送信装置から画像データを表すレーザを上記画像データ受信装置に送信するように上記レーザ送信装置を制御する送信制御手段を備えていることを特徴とする。
【０００９】
第２の発明は，上記携帯用画像端末装置に適した動作制御方法も提供している。すなわち，この方法は，画像データを表すレーザを送信するレーザ送信装置，携帯用画像端末装置のぶれ方向を検出するぶれ方向検出センサ，上記携帯用画像端末装置のぶれ量を検出するぶれ量検出センサ，および上記ぶれ方向検出センサによって検出されたぶれ方向および上記ぶれ量検出センサによって検出されたぶれ量にもとづいて，上記レーザ送信装置から送信されるレーザのぶれを補正するぶれ補正装置を備えた携帯用画像端末装置の動作制御方法において，事前起動信号受信装置が，画像データ受信装置から所定範囲内に送信される事前起動信号を受信し，起動制御手段が，上記事前起動信号受信装置によって事前起動信号を受信したことに応じて，上記ぶれ方向検出センサおよび上記ぶれ量検出センサの少なくとも一方を起動するように制御し，送信指令手段が，画像データ送信指令を上記携帯用画像端末装置に与え，送信制御手段が，上記送信指令手段から上記携帯用画像端末装置に送信指令が与えられたことに応じて上記レーザ送信装置から画像データを表すレーザを上記画像データ受信装置に送信するように上記レーザ送信装置を制御するものである。
【００１０】
第２の発明においても，画像データ受信装置からは所定範囲内に届く事前起動信号が送信されている。携帯用画像端末装置が，画像データ受信装置から送信されている事前起動信号を受信できる所定範囲内に入ると，携帯用画像端末装置によって事前起動信号が受信される。すると，ぶれ方向検出センサおよびぶれ量検出センサの少なくとも一方が起動される。携帯用画像端末装置が，画像データ受信装置に画像データを送信できるほど画像データ受信装置に近づくと，画像データの送信指令が与えられる。画像データを表すレーザが携帯用画像端末装置から画像データ受信装置に送信される。ぶれ方向検出センサ，ぶれ量検出センサは起動に時間がかかるが，携帯用画像端末装置が画像データ受信装置に近づくと，ぶれ方向検出センサおよびぶれ量検出センサの少なくとも一方が起動されるので，比較的速くぶれの無いレーザを携帯用画像端末装置から画像データ受信装置に送信できるようになる。
【００１１】
事前起動モードを設定する事前起動モード設定手段をさらに備えてもよい。この場合，上記事前起動信号受信装置は，上記事前起動モード設定手段によって事前起動モードが設定されたことに応じて上記画像データ受信装置から送信された事前起動信号を受信するものとなろう。
【実施例】
【００１２】
図１は，この発明の実施例を示すもので，画像プリント・システムの構成を示している。
【００１３】
画像プリント・システムは，画像データ受信装置４とプリント受付装置８とから構成されている。これらの画像データ受信装置４およびプリント受付装置８は，コンビニエンス・ストア１内に配置されている。もっとも，画像データ受信装置４およびプリント受付装置８が配置されるのはコンビニエンス・ストア１に限らないのはいうまでもない。画像データ受信装置４は，コンビニエンス・ストア１の入り口３近くに配置されている。
【００１４】
画像データ受信装置４は，起動信号（ビーコンを利用してもよい）を所定範囲内のエリアＡｒに送信（発信）している。画像データ受信装置４を中心とした所定範囲内のエリアＡｒであれば，画像データ受信装置４から送信されている起動信号を受信することができる。また，画像データ受信装置４は，送信される画像データを受信し，その受信した画像データをプリント受付装置８に送信できる。
【００１５】
この実施例においては，携帯用画像端末10をもったユーザ２が，その携帯用画像端末10に記憶されている画像データによって表される画像を，プリント受付装置８を用いてプリントするものである。携帯用画像端末10をもったユーザ２がエリアＡｒ内に入ると，画像データ受信装置４から送信されている事前起動信号が携帯用画像端末10において受信される。すると，携帯用画像端末10に内蔵されている回路等のうち起動，処理に時間がかかるような回路等の起動，事前処理が開始する。ユーザ２は，画像データ受信装置４の所まで行くと，携帯用画像端末10から画像データ受信装置４にプリントする画像を表す画像データを送信する。ユーザ２が画像データ受信装置４の所に行くまでに，時間がかかる回路等の起動，事前処理が終了する。ユーザ２は，画像データ受信装置４の所に着くと，すぐに携帯用画像端末10から画像データ受信装置４に画像データを送信できる。
【００１６】
画像データを受信した画像データ受信装置４は，その受信した画像データをプリント受付装置８に送信する。ユーザ２は，コンビニエンス・ストア１に入り，プリント受信装置８の所に着くと，プリント受信装置８におけるプリントが終了しており，すぐにプリントを受け取ることができる。プリントする画像，プリント枚数などがあらかじめ設定されているのはいうまでもない。
【００１７】
図２は，携帯用画像端末10と画像データ受信装置４の外観を示している。
【００１８】
携帯用画像端末10には，起動信号受信回路12が内蔵されており，前面には，画像データを表すレーザを出力するレーザ出射面11Ａが形成されている。
【００１９】
画像データ受信装置４には，起動信号を送信する起動信号送信回路６が内蔵されており，上面には，携帯用画像端末10から出力されたレーザを受信する受信センサ５が設けられている。
【００２０】
上述のように，画像データ受信装置４から起動信号が送信されており，画像データ受信装置４から一定範囲のエリアＡｒであれば，その起動信号を受信することができる。起動信号を受信した携帯用画像端末10は，上述のように，必要な回路の起動，事前処理が行われる。
【００２１】
図３は，携帯用画像端末10の電気的構成を示すブロック図である。
【００２２】
携帯用画像端末10には，事前起動モード，撮像モード，再生モードなどのモードを設定できるモード指定／選択スイッチ13が含まれている。携帯用画像端末10は，被写体を撮像することができ，このためにＣＣＤ15が含まれている。ＣＣＤ15によって撮像された画像データは，信号処理回路14において所定の信号処理が行われてメモリ・カード制御回路25の制御のもとにメモリ・カード24に記録される。
【００２３】
携帯用画像端末10には，レーザ装置11が含まれている。このレーザ装置11から画像データを表すレーザが出力（送信）される。レーザ装置11は，出力／変調制御回路16によって出力が制御される。
【００２４】
レーザ装置11から出力されるレーザは，ジンバル構造のミラー18によって，携帯用画像端末10から出力されるレーザがぶれないように出射光方向が調整される。このジンバル構造のミラー18は，ミラー制御回路17によってミラーの反射角度が調整されるものである。携帯用画像端末10には，角速度を用いて，ぶれ方向を検出するための角速度センサ19（ぶれ方向検出センサ）および角速度センサ19により得られた値を積分してぶれ角度を検出し，ぶれ角度からぶれ量を検出するための積分／ぶれ量検出回路20（ぶれ量検出センサ）が含まれている。角速度センサ19によって検出された角速度を表すデータが積分／ぶれ量検出回路20に与えられて，携帯用画像端末10のぶれ方向およびぶれ量が検出される。もっとも，他の公知のぶれ方向センサ，ぶれ量検出センサを用いてもよいのはいうまでのない。検出されたぶれ方向およびぶれ量から，ぶれを補正するように，上述したように，ミラー制御回路17によってミラー18の反射角が制御される（ぶれ補正装置）。
【００２５】
携帯用画像端末10には，送信データ（プリントする画像データ）を選択する選択スイッチ22，および画像データの送信開始指令を携帯用画像端末10に与えるボタンを含むボタン類23も含まれている。また，携帯用画像端末10には，データを一時的に記憶するＲＡＭ26も含まれている。さらに，携帯用画像端末10には，レーザ装置11からのレーザ出力に適したデータ・フォーマットに形成するデータ・フォーマット形成回路27も含まれている。
【００２６】
ＲＡＭ26から画像データを読み出すのにかかる時間は，メモリ・カード24から画像データを読み出すのにかかる時間よりも速い。このために，この実施例では，起動信号を受信した場合には，メモリ・カード24に記録されている画像データが読み出されてＲＡＭ26に書き込まれる。ＲＡＭ26に書き込まれた画像データが読み出されて，レーザ出力される。
【００２７】
さらに，携帯用画像端末10には，上述したように起動信号を受信したことにより，起動，事前処理を行う回路等を制御するための事前起動制御回路28，画像データの通信を制御するための主通信制御回路29，表示装置30，起動信号受信回路12および起動信号受信アンテナ31が含まれている。
【００２８】
図４および図５は，携帯用画像端末10の処理手順を示すフローチャート，図６は，画像データ受信装置４およびプリント受付装置８の処理手順を示すフローチャートである。
【００２９】
上述のように，ユーザ２が携帯用画像端末10を持ちながら画像データ受信装置４に近づいていくときに，ユーザ２によって携帯用画像端末10が事前起動モードに設定させられる（図４ステップ41）。すると，起動信号受信回路12が起動させられる（図４ステップ42）。これにより，画像データ受信装置４から送信される起動信号を受信できるようになる。もちろん，事前起動モードの設定の有無に関わらず，後述する処理を行うようにしてもよいのはいうまでもない。
【００３０】
画像データ受信装置４からは起動信号が送信されている（図６ステップ61）。上述のように，起動信号を受信できるエリアＡｒ内に携帯用画像端末10をもったユーザ２が入ると，携帯用画像端末10によって起動信号が受信される（図４ステップ43）。
【００３１】
携帯用画像端末10によって起動信号が受信されないと（図４ステップ43でＮＯ），事前起動モードが設定されているかどうかが確認される（図４ステップ51）。事前起動モードが設定されていると（図４ステップ51でＹＥＳ），再びステップ43処理に戻る。事前起動モードが設定されていないと（図４ステップ51でＮＯ），処理は終了する。
【００３２】
携帯用画像端末10によって起動信号が受信されると（図４ステップ43でＹＥＳ），角速度センサ19および積分回路20の起動が開始する（図４ステップ44）。角速度センサ19および積分回路20が安定すると（図４ステップ45でＹＥＳ），準備終了の旨が表示装置30に表示される（図４ステップ48）。もっとも角速度センサ19および積分回路20の両方とも起動開始しなくともいずれか一方の起動を開始するようにしてもよい。
【００３３】
また，携帯用画像端末10によって起動信号が受信されると（図４ステップ43でＹＥＳ），プリントすべき画像データがメモリ・カード24から読み出されてＲＡＭ26に書き込まれる（図４ステップ46）。ＲＡＭ26への書き込みが終了すると，準備終了の旨が表示装置30に表示される（図４ステップ48）。
【００３４】
準備終了後に，起動信号が受信されているかどうかが確認される（図４ステップ49）。起動信号が受信されていない場合には（図４ステップ49でＮＯ），角速度センサ19，積分回路20の起動，メモリ・カード24から画像データの読み出しおよびＲＡＭ26への画像データの書込の事前処理が停止される（図４ステップ50）。
【００３５】
起動信号が受信されている場合には（図４ステップ49でＹＥＳ），ユーザ２は，画像データ受信装置４の所まで着いたら，携帯用画像端末10のレーザ出射面11Ａが画像データ受信装置４の受信センサ５と対面するように画像データ受信装置４の上面に携帯用画像端末11を置く。その後，ボタン類23に含まれている送信ボタンがユーザ２によって押される（図５ステップ52）。すると，ＲＡＭ26に書き込まれている画像データが読み出されて，レーザがレーザ装置11から画像データ受信装置４に送信される（図５ステップ53）。ＲＡＭ26からの画像データの読み出し速度は，メモリ・カード24からの画像データの読み出し速度よりも速いので，迅速にレーザを送信できるようになる。また，角速度センサ19および積分回路20も起動させられているので，ぶれ無いようにミラー18をすぐに制御でき，レーザ装置11からレーザの送信を迅速にできる。
【００３６】
携帯用画像端末装置10から画像データ受信装置４への送信の結果が表示される（図５ステップ54）。例えば，送信成功，送信失敗，送信先不明などの送信結果が表示されることとなろう。その後，携帯用画像端末装置10の各回路が停止させられる（図５ステップ55）。
【００３７】
携帯用画像端末10から送信された画像データ（レーザ）が画像データ受信装置４において受信されると（図６ステップ62でＹＥＳ），その受信した画像データが画像データ受信装置４からプリント受付装置８に送信される（図６ステップ63）。
【００３８】
プリント受付装置８において，画像データ受信装置４から送信された画像データが受信されると（図６ステップ71），その受信した画像データによって表される画像がプリント受付装置８においてプリントされる（図６ステップ72）。
【００３９】
ユーザ２は，画像データ受信装置４の所からプリント受付装置８の所に歩いていく。ユーザがプリント受付装置８の所に着いた時には画像のプリントが終了していることとなる。
【００４０】
上述の実施例においては，起動信号が受信されたことによりメモリ・カード24に書き込まれている画像データが読み出されてＲＡＭ26に書き込まれているが，通信に適したフォーマットに画像データを変換しておくようにしてもよい。また，プリントすべき画像はあらかじめ選択されているが，前回の画像データの送信後に新たに携帯用画像端末10に入力した画像データによって表される画像をプリントすべき画像としてもよい。
【図面の簡単な説明】
【００４１】
【図１】画像プリント・システムの構成を示している。
【図２】携帯用画像端末と画像データ受信装置との外観を示している。
【図３】携帯用画像端末の電気的構成を示すブロック図である。
【図４】携帯用画像端末の処理手順を示すフローチャートである。
【図５】携帯用画像端末の処理手順を示すフローチャートである。
【図６】画像データ受信装置とプリント受付装置との処理手順を示すフローチャートである。
【符号の説明】
【００４２】
４  画像データ受信装置
８  プリント受付装置
10  携帯用画像端末
12  起動信号受信回路
17  ミラー制御回路
18  ジンバル構造ミラー
19  角速度センサ
20  積分／ぶれ量検出回路
24  メモリ・カード
26  ＲＡＭ
【図１】
2010041278.tif 000003
【図２】
2010041278.tif 000004
【図３】
2010041278.tif 000005
【図４】
2010041278.tif 000006
【図５】
2010041278.tif 000007
【図６】
2010041278.tif 000008